(57)【要約】【課題】  通水管に容易に挿入することができる、通水管用のインコアを提供する。【解決手段】  インコア３は、挿入工具４により、通水管２の開口端部２ａに挿入される。このインコア３には、その後端面３ｃに、挿入工具４の嵌合部４ｃが嵌まる凹部３ｅが設けられている。そこで、凹部３ｅの底面が、嵌合部４ｃによって押圧される被押圧面３ａとなる。そして、凹部３ｅの側面が、挿入方向Ｐを軸とする回動に対し、挿入工具４を相対的に回り止めするよう、嵌合部４ｃと係合する被係合部３ｂとなっている。【選択図】  図６
2007009996.tif 000002
【特許請求の範囲】
【請求項１】
断面円形の通水管の変形を防止すべく、その通水管の開口端部に挿入される筒形状をしたインコアであって、
挿入工具によって、前記通水管への挿入方向に押圧される被押圧面と、前記挿入工具の、前記挿入方向を軸とする回動に対し、その挿入工具を相対的に回り止めするよう、その挿入工具と係合する被係合部とを備えることを特徴とする、通水管用のインコア。
【請求項２】
前記挿入方向とは反対方向側の後端面に、前記筒形状内の中空部に連通するように形成されるとともに前記挿入工具が嵌まる凹部が設けられ、その凹部の側面に前記被係合部が設けられていることを特徴とする請求項１に記載の、通水管用のインコア。
【請求項３】
前記凹部の底面が、前記被押圧面となっていることを特徴とする請求項２に記載の、通水管用のインコア。
【請求項４】
前記凹部は、前記中空部を囲むように形成されていることを特徴とする請求項２または３に記載の、通水管用のインコア。
【請求項５】
前記凹部は、正多角形状をしており、その正多角形状をした凹部の側面が、前記被係合部となることを特徴とする請求項４に記載の、通水管用のインコア。
【請求項６】
前記挿入方向とは反対方向側の後端部に、前記通水管から露出する鍔部を備え、その鍔部に前記凹部が設けられていることを特徴とする請求項２ないし５のいずれか１項に記載の、通水管用のインコア。
【請求項７】
断面円形の通水管の開口端部に、その通水管の変形を防止するためのインコアを挿入する、挿入工具であって、
前記インコアを、前記通水管への挿入方向に押圧する押圧面と、前記挿入方向を軸とする回動に対し、前記インコアによって相対的に回り止めされるよう、そのインコアと係合する係合部とを備えることを特徴とする、インコアの挿入工具。
【請求項８】
前記インコアにおける前記挿入方向とは反対方向側の後端面にそのインコアの中空部に連通するように形成された凹部に嵌まる、嵌合部を備え、その嵌合部の側面に前記係合部が設けられていることを特徴する請求項７に記載の、インコアの挿入工具。
【請求項９】
前記嵌合部の先端面が、前記押圧面となってることを特徴とする請求項８に記載の、インコアの挿入工具。
【請求項１０】
前記嵌合部は、前記インコアの中空部を囲むように形成された前記凹部に嵌まることを特徴とする請求項８または９に記載の、インコアの挿入工具。
【請求項１１】
前記嵌合部は、正多角形状をしており、その正多角形状をした嵌合部の側面が、前記係合部となることを特徴とする請求項１０に記載の、インコアの挿入工具。
【請求項１２】
前記嵌合部は、複数サイズのインコアに対応可能となるよう、先端ほど小サイズの嵌合部となるようにして多段に形成されていることを特徴とする請求項１０または１１に記載の、インコアの挿入工具。
【請求項１３】
前記嵌合部よりも先端側に突出するようにして、前記インコアの中空部に嵌まるガイド部が設けられていることを特徴とする、請求項８ないし１２のいずれか１項に記載の、インコアの挿入工具。
【発明の詳細な説明】
【技術分野】
【０００１】
この発明は、通水管の開口端部に挿入される、通水管用のインコア、およびそのインコアの挿入工具に関するものである。
【背景技術】
【０００２】
従来、継手の受口に通水管を挿入するにあたって、通水管の変形を防止するために、通水管にインコアが挿入された（例えば、特許文献１参照）。ここで、図１０に示されるように、インコア１１は、通水管１０内に収容されるコア本体１２と、そのコア本体１２から延設されて通水管１０から露出する鍔部１３とから構成されていた。そして、このインコア１１を通水管１０に挿入するには、そのインコア１１を、通水管１０に、例えば手で直接押し込むようにして挿入していた。
【０００３】
【特許文献１】特開２００２−１４７６６８号公報
【発明の開示】
【発明が解決しようとする課題】
【０００４】
ところで、通水管１０の変形防止の効果を高めるためには、通水管１０とインコア１１との嵌め合いをできるだけきつくする必要があるものの、インコア１１を通水管１０に、手で直接押し込むためには、通水管１０とインコア１１との嵌め合いをあまりきつくすることができなかった。
【０００５】
また、インコア１１を、ハンマーで叩くことで、通水管１０に挿入することもあった。しかし、この場合には、インコア１１とか通水管１０を傷つけないように、そして、インコア１１を通水管１０に真直ぐ挿入するように、細心の注意を払ってインコア１１を叩く必要があり、その挿入作業の改善が望まれていた。
【０００６】
この発明は、上記した従来の欠点を解決するためになされたものであり、その目的とするところは、通水管に容易に挿入することができる、通水管用のインコア、およびそのインコアの挿入工具を提供することにある。
【課題を解決するための手段】
【０００７】
この発明に係る通水管用のインコア、およびインコアの挿入工具は、前記目的を達成するために、次の構成からなる。すなわち、
請求項１に記載の発明に係る通水管用のインコアは、断面円形の通水管の変形を防止すべく、その通水管の開口端部に挿入される筒形状をしたインコアである。このインコアは、挿入工具によって、前記通水管への挿入方向に押圧される被押圧面と、前記挿入工具の、前記挿入方向を軸とする回動に対し、その挿入工具を相対的に回り止めするよう、その挿入工具と係合する被係合部とを備える。このインコアを通水管の開口端部に挿入するには、挿入工具をインコアの被係合部に係合させるようにして、その挿入工具で、インコアの被押圧面を挿入方向に押圧する。そして、この押圧の際、挿入工具を、挿入方向を軸として回動させると、挿入工具と係合する被係合部を介して、インコアは、挿入工具と一体となって回動する。そして、このように、挿入工具を用いてインコアを押圧する際に、挿入工具を回動させることで、インコアは、回動しながら通水管内に進入する。
【０００８】
また、請求項２に記載の発明に係る通水管用のインコアのように、請求項１に記載のインコアにおいて、前記挿入方向とは反対方向側の後端面に、前記筒形状内の中空部に連通するように形成されるとともに前記挿入工具が嵌まる凹部が設けられ、その凹部の側面に前記被係合部が設けられてもよい。
【０００９】
また、請求項３に記載の発明に係る通水管用のインコアのように、請求項２に記載のインコアにおいて、前記凹部の底面が、前記被押圧面となってもよい。
【００１０】
また、請求項４に記載の発明に係る通水管用のインコアのように、請求項２または３に記載のインコアにおいて、前記凹部は、前記中空部を囲むように形成されてもよい。これにより、凹部の底面からなる被押圧面の面積を大きくすることができ、挿入工具により、インコアを安定して押圧することができる。
【００１１】
また、請求項５に記載の発明に係る通水管用のインコアのように、請求項４に記載のインコアにおいて、前記凹部は、正多角形状をしており、その正多角形状をした凹部の側面が、前記被係合部となってもよい。
【００１２】
また、請求項６に記載の発明に係る通水管用のインコアのように、請求項２ないし５のいずれか１項に記載のインコアにおいて、前記挿入方向とは反対方向側の後端部に、前記通水管から露出する鍔部を備え、その鍔部に前記凹部が設けられてもよい。
【００１３】
また、請求項７に記載の発明に係るインコアの挿入工具は、断面円形の通水管の開口端部に、その通水管の変形を防止するためのインコアを挿入する、挿入工具である。この挿入工具は、前記インコアを、前記通水管への挿入方向に押圧する押圧面と、前記挿入方向を軸とする回動に対し、前記インコアによって相対的に回り止めされるよう、そのインコアと係合する係合部とを備える。この挿入工具を用いて、インコアを通水管の開口端部に挿入するには、挿入工具の係合部をインコアに係合させるようにして、その挿入工具の押圧面で、インコアを挿入方向に押圧する。そして、この押圧の際、挿入工具を、挿入方向を軸として回動させると、挿入工具の、インコアと係合する係合部を介して、インコアは、挿入工具と一体となって回動する。そして、このように、挿入工具を用いてインコアを押圧する際に、挿入工具を回動させることで、インコアは、回動しながら通水管内に進入する。
【００１４】
また、請求項８に記載の発明に係るインコアの挿入工具のように、請求項７に記載の挿入工具において、前記インコアにおける前記挿入方向とは反対方向側の後端面にそのインコアの中空部に連通するように形成された凹部に嵌まる、嵌合部を備え、その嵌合部の側面に前記係合部が設けられてもよい。
【００１５】
また、請求項９に記載の発明に係るインコアの挿入工具のように、請求項８に記載の挿入工具において、前記嵌合部の先端面が、前記押圧面となってもよい。
【００１６】
また、請求項１０に記載の発明に係るインコアの挿入工具のように、請求項８または９に記載の挿入工具において、前記嵌合部は、前記インコアの中空部を囲むように形成された前記凹部に嵌まるものであってもよい。これにより、嵌合部の先端面からなる押圧面の面積を大きくすることができ、挿入工具により、インコアを安定して押圧することができる。
【００１７】
また、請求項１１に記載の発明に係るインコアの挿入工具のように、請求項１０に記載の挿入工具において、前記嵌合部は、正多角形状をしており、その正多角形状をした嵌合部の側面が、前記係合部となってもよい。
【００１８】
また、請求項１２に記載の発明に係るインコアの挿入工具のように、請求項１０または１１に記載の挿入工具において、前記嵌合部は、複数サイズのインコアに対応可能となるよう、先端ほど小サイズの嵌合部となるようにして多段に形成されてもよい。
【００１９】
また、請求項１３に記載の発明に係るインコアの挿入工具のように、請求項８ないし１２のいずれか１項に記載の挿入工具において、前記嵌合部よりも先端側に突出するようにして、前記インコアの中空部に嵌まるガイド部が設けられてもよい。こうして、挿入工具に、インコアの中空部に嵌まるガイド部を設けることで、この挿入工具により、インコアを安定して押圧することができる。
【発明の効果】
【００２０】
この発明に係る通水管用のインコア、およびインコアの挿入工具によれば、挿入工具を用いてインコアを押圧する際に、挿入工具を回動させることで、インコアは、回動しながら通水管内に進入するため、このインコアを通水管に容易に挿入することができる。
【発明を実施するための最良の形態】
【００２１】
以下、この発明を実施するための最良の形態を図面に基づいて説明する。
【００２２】
図１ないし図７は、本発明の一の実施の形態を示す。図中符号１は、継手である。２は、前記継手１の受口１ａに挿入される、断面円形の、配管材としての通水管であり、例えば、架橋ポリエチレンとかポリブデン等の合成樹脂管からなる。３は、前記通水管２の変形を防止すべく、前記継手１の受口１ａへの通水管２の挿入前に、前もって通水管２の開口端部２ａに挿入される筒形状をしたインコアである。４は、前記通水管２の開口端部２ａに、その通水管２の変形を防止するためのインコア３を挿入する、挿入工具である。
【００２３】
ここで、インコア３は、挿入工具４（詳細には、挿入工具４の押圧面４ａ）によって、通水管２への挿入方向Ｐに押圧される被押圧面３ａと、挿入工具４の、前記挿入方向Ｐを軸とする回動に対し、その挿入工具４を相対的に回り止めするよう、その挿入工具４（詳細には、挿入工具４の係合部４ｂ）と係合する被係合部３ｂとを備える。言い換えれば、挿入工具４は、インコア３（詳細には、インコア３の被押圧面３ａ）を、通水管２への挿入方向Ｐに押圧する押圧面４ａと、前記挿入方向Ｐを軸とする回動に対し、インコア３によって相対的に回り止めされるよう、そのインコア３（詳細には、インコア３の被係合部３ｂ）と係合する係合部４ｂとを備えている。
【００２４】
具体的には、インコア３は、例えば合成樹脂製であって、前記挿入方向Ｐとは反対方向側の後端面３ｃに、このインコア３の筒形状内の中空部３ｄに連通するように形成されるとともに前記挿入工具４（詳細には、挿入工具４の後述する嵌合部４ｃ）が嵌まる凹部３ｅが設けられている。そして、その凹部３ｅの側面に前記被係合部３ｂが設けられ、凹部３ｅの底面が、前記被押圧面３ａとなっている。より具体的には、凹部３ｅは、前記中空部３ｄ（詳しくは、前記中空部３ｄの開口部分）を囲むように形成されている。そして、その凹部３ｅは、正多角形状（図示実施の形態においては、正六角形状）をしており、その正多角形状（図示実施の形態においては、正六角形状）をした凹部３ｅの側面が、前記被係合部３ｂとなっている。
【００２５】
また、図示実施の形態においては、インコア３は、前記挿入方向Ｐとは反対方向側の後端部に、通水管２から露出する鍔部３ｆを備えている。すなわち、このインコア３は、通水管２内に収容される円筒形状のコア本体３ｇと、そのコア本体３ｇから延設される前記鍔部３ｆとからなる。そして、この鍔部３ｆに、前記凹部３ｅが設けられる。なお、図１において、符号１ｂは、受口１ａに設けられたシール部材、１ｃは、通水管２が受口１ａから抜け出ないよう、その通水管２を係止する係止爪である。
【００２６】
一方、挿入工具４は、インコア３の凹部３ｅ、詳細には、インコア３の中空部３ｄ（詳しくは、中空部３ｄの開口部分）を囲むように形成された凹部３ｅに嵌まる嵌合部４ｃを備える。そして、この嵌合部４ｃの側面に前記係合部４ｂが設けられ、嵌合部４ｃの先端面が、前記押圧面４ａとなる。すなわち、嵌合部４ｃは、正多角形状（図示実施の形態においては、正六角形状）をしており、その正多角形状（図示実施の形態においては、正六角形状）をした嵌合部４ｃの側面が、前記係合部４ｂとなっている。
【００２７】
また、嵌合部４ｃは、複数サイズのインコア３に対応可能となるよう、先端ほど小サイズの嵌合部となるようにして多段（図示実施の形態においては、四段）に形成されている（図４参照）。そして、各嵌合部４ｃよりも先端側に突出するようにして、対応するインコア３の中空部３ｄに嵌まる円柱形状のガイド部４ｄが設けられている。つまり、嵌合部４ｃと先端側のガイド部４ｄとが対をなし、その対が、先端ほど小サイズとなるようにして、複数組（図示実施の形態においては、四組）設けられている。また、この挿入工具４の後部には、手で握ることのできる把持部４ｅが設けられており、この把持部４ｅには、滑り止め用に、例えばローレット目が形成されている。
【００２８】
次に、以上の構成からなるインコア３および挿入工具４の作用効果について説明する。このインコア３を通水管２の開口端部２ａに挿入するには、図６に示すように、挿入工具４の係合部４ｂをインコア３の被係合部３ｂに係合させるようにして、すなわち、挿入工具４の嵌合部４ｃをインコア３の凹部３ｅに嵌めるようにして、その挿入工具４の押圧面４ａで、インコア３の被押圧面３ａを挿入方向Ｐに押圧する。そして、この押圧の際、挿入工具４を、挿入方向Ｐを軸として回動させると、インコア３の被係合部３ｂと係合する、挿入工具４の係合部４ｂを介して、言い換えれば、挿入工具４の係合部４ｂと係合する、インコア３の被係合部３ｂを介して、インコア３は、挿入工具４と一体となって回動する。そして、このように、挿入工具４を用いてインコア３を押圧する際に、挿入工具４を回動させることで、インコア３は、回動しながら通水管２内にスムーズに進入する。こうして、このインコア３を通水管２に容易に挿入することができる。なお、挿入工具４の回動は、一方向にのみ回動してもよいが、一方向の回動とその反対方向の回動とを交互に行ってもよい。
【００２９】
ところで、インコア３は、合成樹脂製であると、強度上、ある程度の肉厚を必要とする。しかし、肉厚を確保しようと、インコア３の内径を小さくすると、インコア３部分で、通水管２内を流れる水の流動抵抗が大きくなり好ましくない。そこで、インコア３の肉厚を確保するために、その外径を大きくするのがよく、そのために、インコア３と通水管２との嵌め合いを締まりばめとするのが好ましい。また、このように、インコア３と通水管２との嵌め合いを締まりばめとすることは、このインコア３による、通水管２の変形防止の効果を高めるためにも有効となる。そして、この場合、インコア３は、通水管２に、その通水管２を押し広げるようにして挿入される。そして、このような場合であっても、挿入工具４を用いて、インコア３を回動させながら通水管２に挿入することで、その挿入を容易に行うことができる。
【００３０】
また、インコア３の凹部３ｅは、中空部３ｄ（詳しくは、中空部３ｄの開口部分）を囲むように形成されているため、その凹部３ｅの底面からなる被押圧面３ａの面積（言い換えれば、挿入工具４における、嵌合部４ｃの先端面からなる押圧面４ａの面積）を大きくすることができ、挿入工具４により、インコア３を安定して押圧することができる。しかも、挿入工具４には、インコア３の中空部３ｄに嵌まるガイド部４ｄが設けられている。したがって、この挿入工具４のガイド部４ｄをインコア３の中空部３ｄに嵌めることで、この挿入工具４で、インコア３を一層安定して押圧したり回動させたりすることができる。
【００３１】
また、挿入工具４の嵌合部４ｃ（図示実施の形態においては、嵌合部４ｃとガイド部４ｄ）は、多段に形成されているため、一つの挿入工具４でもって、各種サイズの通水管２に、その通水管２に対応する各種サイズのインコア３を挿入することができる。
【００３２】
なお、本発明は、上述した実施の形態に限定されるわけではなく、その他種々の変更が可能である。例えば、通水管２（配管材）は、合成樹脂管からなっているが、例えば、薄肉の金属管からなっていてもよい。また、インコア３は、合成樹脂製でなくとも、金属製であってもよい。
【００３３】
また、インコア３に設けられた凹部３ｅは、正多角形状をしていなくとも、図８に示すように、円形形状をして、その一部が径方向に突き出るように形成されてもよい。そして、この場合には、この突き出た部分の側面が、被係合部３ｂとなる。また、凹部３ｅは、中空部３ｄ（詳しくは、中空部３ｄの開口部分）を囲むように形成されなくとも、図９に示すように、中空部３ｄの回りの一部に設けられてもよい。また、図示を省略するが、凹部３ｅは、中空部３ｄに通ずることなく、後端面３ｃにおける中間部分に設けられても構わない。
【００３４】
また、インコア３の被係合部３ｂは、凹部３ｅの側面によって形成されるが、この被係合部３ｂは、例えば、鍔部３ｆの外周面に設けられてもよい。
【００３５】
また、インコア３において、凹部３ｅの底面が被押圧面３ａとなっているが、例えば、インコア３の後端面３ｃが被押圧面となってもよい。
【００３６】
また、インコア３には鍔部３ｆが設けられるが、この鍔部３ｆは、必要なければ無くともよい。
【００３７】
また、挿入工具４において、嵌合部４ｃは、多段に形成されているが、一つのみであっても構わない。
【００３８】
また、挿入工具４には、嵌合部４ｃよりも先端側に、インコア３の中空部３ｄに嵌まる円柱形状のガイド部４ｄが設けられているが、このガイド部４ｄは、円柱形状でなくとも、例えば、断面多角形状とか十字形状等であってもよい。そして、このように、挿入工具４にはガイド部４ｄを設けるのが好ましいが、場合によっては、このガイド部４ｄは無くともよい。
【図面の簡単な説明】
【００３９】
【図１】この発明の一実施の形態の、縦断面図である。
【図２】同じく、インコアの縦断面図である。
【図３】同じく、左側面図である。
【図４】同じく、挿入工具の正面図である。
【図５】同じく、図４におけるＡ−Ａ線による断面図である。
【図６】同じく、挿入工具を用いて、インコアを通水管に挿入する過程を示す、一部を破断した正面図である。
【図７】同じく、図６におけるＢ−Ｂ線による拡大断面図である。
【図８】この発明の他の実施の形態の、図３相当図である。
【図９】この発明のさらに他の実施の形態の、図３相当図である。
【図１０】従来のインコアが通水管に挿入された状態を示す断面図である。
【符号の説明】
【００４０】
２  通水管
２ａ  開口端部
３  インコア
３ａ  被押圧面
３ｂ  被係合部
３ｃ  後端面
３ｄ  中空部
３ｅ  凹部
３ｆ  鍔部
４  挿入工具
４ａ  押圧面
４ｂ  係合部
４ｃ  嵌合部
４ｄ  ガイド部
Ｐ  挿入方向
【図１】
2007009996.tif 000003
【図２】
2007009996.tif 000004
【図３】
2007009996.tif 000005
【図４】
2007009996.tif 000006
【図５】
2007009996.tif 000007
【図６】
2007009996.tif 000008
【図７】
2007009996.tif 000009
【図８】
2007009996.tif 000010
【図９】
2007009996.tif 000011
【図１０】
2007009996.tif 000012